(57)【要約】【解決手段】  打設したコンクリート１の上方に、基板７の少なくとも片面にアルミニューム皮膜８を形成した反射板６を、前記アルミニュームが上方に露出するように設置する。【効果】  反射板が直射日光を遮ると共にその日光を反射するため、その下方のコンクリートに直射日光が当たることがないのみならず、日光により反射板の温度が上昇することもないので、コンクリートが高温で蒸れることもなく、さらに反射板の下方を通り抜ける風によって冷やされ、コンクリートは周囲の空気の温度以上に昇温することはなく、良好な条件で硬化することができる。【選択図】          図１
2007039977.tif 000002
【特許請求の範囲】
【請求項１】
打設したコンクリート（１）の上方に、基板（７）の少なくとも片面にアルミニューム皮膜（８）を形成した反射板（６）を、前記アルミニュームが上方に露出するように設置したことを特徴とする、コンクリート養生構造
【請求項２】
打設したコンクリート（１）の最上位置よりやゝ高い位置に、前記コンクリート（１）を取り巻いてバー（４）を設置し、当該バー（４）間に紐体（５）を網目状に掛け渡し、前記反射板（６）を前記コンクリートの上方を覆うように前記バー（４）及び紐体（５）に取り付けたことを特徴とする、請求項１に記載のコンクリート養生構造
【発明の詳細な説明】
【技術分野】
【０００１】
本発明はコンクリート養生構造に関するものであって、建物の基礎などのコンクリートを打設した後、当該コンクリートに直射日光が照射されるのを遮ると共に、コンクリートの温度が過度に上昇するのを防止し、コンクリートが適切に硬化して十分な強度を発揮せしめるための養生構造に関するものである。
【背景技術】
【０００２】
一般にコンクリートを打設した後、そのコンクリートが硬化するまでの間は養生し、温度や湿度をコントロールすることが行われている。その養生の手段としては、例えば養生シートでコンクリートの上部を覆う方法や、特開２００３−２５２６９１号公報に示されるように、コンクリートの周囲をカバーで覆い、その内部をエアコンで温調する方法などが知られている。
【０００３】
しかしながら通常使用される養生シートは、コンクリートの上部を覆って陽射しを遮り、コンクリートが直射日光により過度に温度が上昇するのを抑制すると言う程度の効果しかなく、現実には養生シートに当たった太陽光線により養生シートの温度が上昇し、その下が蒸れるために相当の温度上昇が避けられないのが実情である。
【０００４】
また前記特開２００３−２５２６９１号公報に示された方法は、カバー内のコンクリートを直接温調することにより、良好な条件でコンクリートを降下させることができるが、その反面設備が大掛かりになり高価になると共に、またエアコンを駆動するために長時間電源を確保しなければならず、実用的でなかった。
【特許文献１】特開２００３−２５２６９１号公報
【発明の開示】
【発明が解決しようとする課題】
【０００５】
本発明はかかる事情に鑑みなされたものであって、簡単な構造で安価に設置でき、且つ直射日光を反射してその下部のコンクリートを低温に保つことのできるコンクリート養生構造を提供することを目的とするものである。
【課題を解決するための手段】
【０００６】
而して本発明は、打設したコンクリートの上方に、基板の少なくとも片面にアルミニューム皮膜を形成した反射板を、前記アルミニュームが上方に露出するように設置したことを特徴とするものである。
【０００７】
本発明においては、打設したコンクリートの最上位置よりやゝ高い位置に、前記コンクリートを取り巻いてバーを設置し、当該バー間に紐体を網目状に掛け渡し、前記反射板を前記コンクリートの上方を覆うように前記バー及び紐体に取り付けた構造とすることが好ましい。
【発明の効果】
【０００８】
本発明によれば、反射板が直射日光を遮ると共にその日光を反射するため、その下方のコンクリートに直射日光が当たることがないのみならず、日光により反射板の温度が上昇することもないので、コンクリートが高温で蒸れることもなく、さらに反射板の下方を通り抜ける風によって冷やされ、コンクリートは周囲の空気の温度以上に昇温することはなく、良好な条件で硬化することができるのである。
【発明を実施するための最良の形態】
【０００９】
以下本発明の実施の形態を図面に従って説明する。図１は本発明のコンクリート養生構造を示すものであって、１は地面上に設置された建物の基礎となるコンクリートであり、２はそのコンクリート１を覆う遮光部材である。
【００１０】
遮光部材２は、コンクリート１の四隅の外方の地面に支柱３が立設されており、そのコンクリート１を取り巻くようにバー４が設置され、当該バー４は前記支柱３に支持されている。そのバー４の位置は、前記コンクリート１の最上位置よりもやゝ高い位置に設けるのが好ましい。
【００１１】
そしてそのバー４の間に紐体５を縦横に網目状に掛け渡している。前記紐体５は紐、ロープ、ベルト、テーブなどその形態は特に問わない。また後述する反射板６を取り付けて支えることができる程度の強度があれば十分である。紐体５の網目の大きさは、後述する反射板６の大きさと同程度とするのが好ましい。
【００１２】
而して前記バー４及び網目状の紐体５に反射板６を取り付ける。この反射板６としては、プラスチックのハニカムボードなどの軽量の基板７の少なくとも片面に、アルミニウムの皮膜８を形成したものであって、通常の建築資材の定寸に従い、約９０cm×１８０cmの大きさとするのが適当である。
【００１３】
アルミニウムの皮膜８は溶着又は蒸着により形成するのが適当であって、図３（ａ）に示すように、基板７の片面に直接皮膜８を形成したものでもよく、また図３（ｂ）に示すように、その片面に皮膜８を形成したシート９を、適宜の方法で基板７に装着したものとすることもできる。アルミニウムの皮膜８は基板７の少なくとも片面に形成することを要するが、両面に形成しても差し支えない。
【００１４】
反射板６をバー４及び紐体５に取り付けるには、図２に示すように、反射板６の適宜の箇所に複数箇所ハトメ１０を形成し、紐１１でそのハトメ１０をバー４又は紐体５に結び付けて、アルミニウムが上方に向くように取り付ける。
【００１５】
反射板６は隙間なく並べてコンクリート１を完全に覆い、日光を完全に遮断することが好ましいが、反射板６の間に多少の隙間があっても差し支えない。その隙間から日光が差し込んでコンクリート１に照射されるが、その照射される箇所は時々刻々変化するので、一時的に日光が当たっても大きな影響はない。
【００１６】
本発明においては、上方から照射された直射日光は反射板６のアルミニウム面において反射されるため、コンクリート１を直射日光から遮蔽すると共に、日光のエネルギーを反射してしまうため、反射板６の温度が過度に高くなることもない。
【００１７】
従ってコンクリート１は直射日光から遮蔽されるのみならず、上方を覆った反射板６の温度も高くならない。さらにコンクリート１と反射板６との間を通り抜ける風によって、その間に籠った熱を奪われるため、コンクリート１の温度は周囲の空気の温度以上に過度に上昇することがなく、良好な条件の下で硬化させることができる。
【００１８】
本発明のコンクリート養生構造は、反射板６が露出したままで使用することもできるが、反射板６の上部から周囲全体を通気性に優れたメッシュ状のシートなどで覆うことにより、反射板６を保護すると共に通気を確保することも好ましい。
【図面の簡単な説明】
【００１９】
【図１】本発明のコンクリート養生構造の斜視図
【図２】図１の養生構造の一部を拡大して示した斜視図
【図３】本発明における反射板の横断面図
【符号の説明】
【００２０】
１  コンクリート
４  バー
５  紐体
６  反射板
７  基板
８  アルミニウムの皮膜
【図１】
2007039977.tif 000003
【図２】
2007039977.tif 000004
【図３】
2007039977.tif 000005